(57)【要約】【課題】異なる処理を行う用紙処理装置を隣接配置して連続処理を行う用紙処理システムにおいて用紙受け渡し部分近傍で発生するトラブルの処理が容易な構造の実現。【解決手段】２つの用紙処理装置の隣接側面では、用紙受け渡し部分より上方に両装置とも側壁を設けず、且つ両装置とも隣接面からそれぞれ最初の内部処理手段までの部分には天井板を設けない。これにより用紙受け渡し部分近傍でトラブルが発生しても装置上部から状況が見易くまた手を入れ易くなり、隣接面から最初の処理手段までの距離を短くでき、装置サイズを小さくすることができるとともに、搬送ローラも不要となり装置製造コストの低減を図ることができる。トラブルのないときは天井板のない部分に蓋をしておく。【選択図】図１
2010023982.tif 000002
【特許請求の範囲】
【請求項１】
上流側用紙処理装置から排出された用紙を、上流側用紙処理装置とは別体の筐体を有する下流側用紙処理装置へ受け渡すように用紙処理装置同士を隣接配置して構成した用紙処理システムにおいて、隣接側面では用紙受け渡し部分より上方には両装置ともに側壁がなく且つ両装置とも隣接面からのそれぞれの最初の内部処理手段までの部分には天井板がないことを特徴とする用紙処理システム。
【請求項２】
前記両装置の天井板がない部分を塞ぐ使用・除去自在の蓋を具備することを特徴とする請求項１記載の用紙処理システム。
【請求項３】
前記両装置の天井板がない部分を塞ぐ蓋が、前記下流側用紙処理装置に開閉自在に取り付けられていることを特徴とする請求項２記載の用紙処理システム。
【請求項４】
前記上流側用紙処理装置は、前記側壁と天井板がない部分を覆うカバーが装着可能な構造となっていることを特徴とする請求項１〜３のいずれか１項に記載の用紙処理システム。
【請求項５】
前記上流側用紙処理装置が、用紙束の中央を綴じて、綴じた部分で２つ折りして冊子を作成し、この冊子を折り目を先頭にして排出する中綴じ折り装置であり、
前記下流側用紙処理装置が、この２つ折り冊子を受け入れて停止させ、その小口を断裁して切り揃える断裁装置であることを特徴とする請求項１〜４のいずれか１項に記載の用紙処理システム。
【請求項６】
前記断裁装置と中綴じ折り装置との隣接面から断裁装置の断裁ラインまでの距離が３０ｍｍ以内であることを特徴とする請求項５記載の用紙処理システム。
【発明の詳細な説明】
【技術分野】
【０００１】
本発明は２種類或いは３種類の用紙処理装置を隣接配置して、用紙に対して複数の種類の処理を連続して行わせる用紙処理システムにおいて、各処理装置内、特に用紙の受け渡し部分の近傍においてジャム等の異常が生じた場合の対応を容易にする構造の技術に関するものである。
【背景技術】
【０００２】
用紙或いはその束に対しては、綴じ、折り、断裁、糊付け、穴明け等種々の処理があり、それぞれ専用の処理装置が用いられている。中には、例えば綴じと折りの両方の処理を行う処理装置もある。
用紙に対する処理としては１つの処理だけで終わる場合もあるが、複数の処理を施して完成品となる場合も多い。
【０００３】
そのような場合は、必要な種類の処理装置を用紙の受け渡しができるように隣接、位置合わせをして配置して、１つの処理が終わった用紙を次の隣接処理装置へ送り２つ目の処理を行うということになる。
例えば、綴じ折り装置で、用紙束の真中を綴じて、綴じた部分で２つ折りし、それを隣接配置している小口断裁装置へ送り、小口を断裁して綺麗に揃えて排出するということが行われる。
【０００４】
図４はそのような場合の中綴じ折り機２１と断裁機２２が隣接配置されている例である。
中綴じ折り機２１はその右にあるプリンタから印刷済みの用紙を１枚ずつ受け入れ所定枚数に達したところで、用紙束の進行方向中央を綴じた後その部分で２つ折りにして排出口２７から排出する。その左側には断裁機２２が隣接しており、その取入れ口３０が中綴じ折り機の排出口に対向しており、排出されて来た綴じ折り冊子を取り込み、その小口を断裁して左側の排出口より排出する。
【０００５】
この場合、上流側の用紙処理装置である中綴じ折り機２１の排出口２７と下流側の用紙処理装置である断裁機２２の取入れ口は、用紙の受け渡しが確実に行われるように、隣接対向するように両機は隣接配置されている（例えば、特許文献１参照）。
【０００６】
そして通常、上流側用紙処理装置の排出口も下流側用紙処理装置の取入れ口も各装置の側壁板に開口を設けた構造となっている。
【特許文献１】特開２００７−１９１２８０号公報（段落［００２５］〜［００２７］、図１）
【発明の開示】
【発明が解決しようとする課題】
【０００７】
上記のように、２つの異なる用紙処理装置を隣接配置して、用紙に対する異なる処理を施す場合、用紙の受け渡しが確実に行われるようにするために、上流側用紙処理装置の排出口と下流側用紙処理装置の取入れ口を対向且つ近接するように両装置を隣接配置することになる。
【０００８】
このような配置のため稼働中に用紙の受け渡し部分近傍で紙詰まり等のトラブルが発生した場合、処理装置の間から手或いは道具を入れて処理することが殆どできず、結局、トラブルの発生場所によって上流側用紙処理装置側からか、下流側用紙処理装置側からしか行うことができない。
そうすると、夫々の処理装置の隣接壁面から最初の処理手段までの間隔、例えば、断裁機２２の断裁上刃１５の右側面と隣接面側壁２４との距離Ｄを作業者の手が入る位の間隔にしておく必要がある。
【０００９】
その結果、その分だけ装置寸法が大きくなるという問題があるし、上流側用紙処理装置の排出手段から、下流側用紙処理装置の最初の処理手段までの搬送距離が長くなり搬送ローラ２９が必要となりコストアップになるという問題も生ずる。
【００１０】
本発明の課題は、上記従来技術の問題点に鑑みて、用紙に対する異なる処理を順次行うために複数の用紙処理装置を隣接配置する用紙処理システムにおいて、用紙処理装置の寸法を大きくすることなく、用紙の装置間受け渡し部分において発生する紙詰まりを始めとするトラブルに対処し易い構造のシステムを実現することである。
【課題を解決するための手段】
【００１１】
本発明は、上記の課題を解決するために、以下の各構成を有する。
本発明の第１の構成は、上流側用紙処理装置から排出された用紙を、上流側用紙処理装置とは別体の筐体を有する下流側用紙処理装置へ受け渡すように用紙処理装置同士を隣接配置して構成した用紙処理システムにおいて、隣接側面では用紙受け渡し部分より上方には両装置ともに側壁がなく且つ両装置とも隣接面からのそれぞれの最初の内部処理手段までの部分には天井板がないことを特徴とする用紙処理システムである。
【００１２】
本発明の第２の構成は、前記第１の構成において、前記両装置の天井板がない部分を塞ぐ使用・除去自在の蓋を具備することを特徴とする用紙処理システムである。
【００１３】
本発明の第３の構成は、前記第２の構成において、前記両装置の天井板がない部分を塞ぐ蓋が、前記下流側用紙処理装置に開閉自在に取り付けられていることを特徴とする用紙処理システムである。
【００１４】
本発明の第４の構成は、前記第１ないし第３の構成のいずれか１つの構成において、前記上流側用紙処理装置は、前記側壁と天井板がない部分を覆うカバーが装着可能な構造となっていることを特徴とする用紙処理システムである。
【００１５】
本発明の第５の構成は、前記第１ないし第４の構成のいずれか１つの構成において、前記上流側用紙処理装置が、用紙束の中央を綴じて、綴じた部分で２つ折りして冊子を作成し、この冊子を折り目を先頭にして排出する中綴じ折り装置であり、前記下流側用紙処理装置が、この２つ折り冊子を受け入れて停止させ、その小口を断裁して切り揃える断裁装置であることを特徴とする用紙処理システムである。
【００１６】
本発明の第６の構成は、前記第５の構成において、前記断裁装置と中綴じ折り装置との隣接面から断裁装置の断裁ラインまでの距離が３０ｍｍ以内であることを特徴とする用紙処理システムである。
【発明の効果】
【００１７】
本発明の第１の構成では、隣接する両処理装置間の用紙受け渡し部分より上には、隣接側面の側壁がなく、且つ両装置とも隣接面からのそれぞれ最初の処理手段までの部分には天井板がないという構造になっているので、用紙の受け渡し部分近傍でトラブルが発生しても、装置上部から状況が見易くまた手を入れ易いので、隣接面から最初の処理手段までの寸法を大きくしなくともトラブル処理が容易に行うことができるという効果がある。
【００１８】
本発明の第２の構成では、両処理装置の天井板のない部分を塞ぐための、使用・除去自在の蓋を具備しているので、トラブルがないときは天井を塞いで、異物の飛び込み防止や危険防止が可能であり、トラブル発生時には蓋を除去してトラブル処理を容易ならしめるという効果がある。
【００１９】
本発明の第３の構成では、蓋が下流側用紙処理装置に開閉自在に取り付けられているので、蓋の開閉が容易であるという効果がある。
【００２０】
本発明の第４の構成では、上流側用紙処理装置の前記側壁と天井板がない部分を覆うカバーが装着可能な構造となっているので、隣接配置が解除され上流側用紙処理装置が単独使用或いは非使用状態になったときに、異物が入ったり、内部構造に不測の外力が加わったりなどして破損を招く恐れを回避できるという効果がある。
【００２１】
本発明の第５の構成は、第１ないし第４の構成のいずれか１つの構成において、上流側用紙処理装置を中綴じ折り装置とし、下流側用紙処理装置を断裁装置としたものであるから、前記第１ないし第４の構成のうちの選んだ構成の効果を有する。
【００２２】
本発明の第６の構成は、前記第５の構成において、中綴じ折り装置との隣接壁から断裁装置の断裁ラインまでの距離が３０mm以内であるので、断裁装置の寸法を、従来より小さくでき、綴じ折り装置からの円滑な用紙の受け渡しができるという効果がある。
【発明を実施するための最良の形態】
【００２３】
本用紙処理システムの実施に当たっては、個々の用紙処理装置は移動が可能なようにキャスター付とし、隣接配置に当たって用紙の受け渡し位置を一致させるべく位置合わせガイド機構および位置が合った状態でロックできるロック機構を設けるのが最良の実施形態である。
【００２４】
また、上流側用紙処理装置の用紙排出口と下流側用紙処理装置の用紙取入れ口とは同じ高さ位置とし、両装置の天井高さを同じとするのが蓋を単純にできるので最良の実施形態である。
【実施例】
【００２５】
以下、本発明の用紙処理システムの実施例を図面を参照して説明する。
図１は、上流側用紙処理装置として中綴じ折り機２を、下流側用紙処理装置として断裁機３を隣接配置した用紙処理システム１の構成を示す図である。
この構成では断裁機３の隣接面側壁８および中綴じ折り機２の隣接面側壁９は、排出ローラ１０から断裁下刃１１への用紙受け渡し部（用紙搬送路部分）より上には存在しない。図４の従来装置で言うなら、中綴じ折り機２１の排出口２７から上方部分の隣接面側壁２６および断裁機２２の取入れ口３０より上方部分の隣接面側壁２４がなくなったと同じ構造となっており、更に、中綴じ折り機２の天井板４は折り目プレッサ２８の所で終わっており、そこから隣接面側壁９の上部の位置までの部分は天井板がない。
【００２６】
同様に、断裁機３においてもその天井板６は左からヒンジ７の所で終わっており、隣接面側壁８の上部の位置までの部分には天井板がない。
この天井板がない部分に対しては、ヒンジ７によって開閉自在の天井蓋５が設けられており、把手１６によって自由に開閉できるようになっている。
【００２７】
従って、折り目プレッサ２８から、断裁上刃１５および断裁下刃１１を含む断裁手段までの間で紙詰まりその他のトラブルが発生したときには天井蓋５を上に開いて、上から内部を点検チェックできトラブル処理ができる。このため、断裁上刃１５を隣接面側壁８の上方延長面に近付けることができる。図４で見るならば、断裁機２２の断裁上刃１５の右側面と隣接面側壁２４との間隔Ｄを小さくすることができるということである。
【００２８】
その結果、中綴じ折り機２の排出ローラ１０から、断裁機３の断裁上刃１５、断裁下刃１１までの距離が短くなり、図４の断裁機２２の搬送ローラ２９に対応する搬送ローラが図１ではなくなっている。
【００２９】
その結果、断裁機３の用紙流れ方向の寸法を小さくできるとともに、搬送ローラが不要になった分だけコストダウンを図ることができる。実際にこのような効果は、断裁上刃１５と断裁下刃１１による断裁ラインと隣接面側壁８の上方延長面との距離を３０ｍｍ以内にすることより効果的となる。
【００３０】
なお、前記天井蓋５は、これに代えて、除去できる置き蓋であってもよい。
図２は、図１の中綴じ折り機２を除去して、断裁機３を右側から見た図である。
【００３１】
図３は、図１の中綴じ折り機２に後続の用紙処理機が隣接配置されていない場合の図である。
この場合、綴じ折りの完了した冊子は、排出ローラ１０から排出台１４の上へ排出され図示されていないベルトコンベアによって搬送されて行く。
【００３２】
このような場合に、図１の中綴じ折り機２のように側壁や天井板がないままでは、外部から異物が入ったり、人体の一部が触れたりする危険な場合があり得るのでこれを防止するために、この部分にカバー１３を装着した図である。このようなカバーが装着できるような構造に予めしておくということである。
【図面の簡単な説明】
【００３３】
【図１】上流側用紙処理装置として中綴じ折り機を、下流側用紙処理装置として断裁機を隣接配置した用紙処理システムの構成を示す図である。
【図２】図１の中綴じ折り機を除去して右側から断裁機を見た図である。
【図３】図１の中綴じ折り機に後続の用紙処理機が隣接配置されていない場合の図である。
【図４】従来の中綴じ折り機と断裁機が隣接配置された用紙処理システムの構成図である。
【符号の説明】
【００３４】
１  用紙処理システム
２  中綴じ折り機
３  断裁機
４  天井板
５  天井蓋
６  天井板
７  ヒンジ
８  隣接面側壁
９  隣接面側壁
１０  排出ローラ
１１  断裁下刃
１２  キャスタ
１３  カバー
１４  排出台
１５  断裁上刃
１６  把手
２０  用紙処理システム
２１  中綴じ折り機
２２  断裁機
２３  天井板
２４  隣接面側壁
２５  天井板
２６  隣接面側壁
２７  排出口
２８  折り目プレッサ
２９  搬送ローラ
３０  取入れ口
【図１】
2010023982.tif 000003
【図２】
2010023982.tif 000004
【図３】
2010023982.tif 000005
【図４】
2010023982.tif 000006